(57)【要約】【課題】利用者が作成した画像処理パラメータに対して第３者による利用を制限可能にすることを目的とする。【解決手段】撮像装置の画像処理に利用可能な画像処理パラメータを編集する情報処理装置は、画像処理パラメータに付加されている、当該画像処理パラメータの作成者に関する情報を抽出し、抽出された前記作成者に関する情報に基づいて、画像処理パラメータを編集して新たな画像処理パラメータを生成する編集処理を制限する。【選択図】  図７
2008028775.tif 000002
【特許請求の範囲】
【請求項１】
撮像装置の画像処理に利用可能な画像処理パラメータを編集する情報処理装置であって、
前記画像処理パラメータに付加されている、当該画像処理パラメータの作成者に関する情報を抽出する抽出手段と、
前記画像処理パラメータを編集して新たな画像処理パラメータを生成する編集手段と、
前記編集手段による前記画像処理パラメータの編集処理を、前記抽出手段で抽出された前記作成者に関する情報に基づいて制限する制限手段とを備えることを特徴とする情報処理装置。
【請求項２】
前記制限手段は、前記作成者に関する情報に基づいて当該画像処理パラメータに対する編集処理が許可されているか否かを判定し、編集が許可されていない場合には前記編集手段による前記画像処理パラメータの編集を禁止することを特徴とする請求項１に記載の情報処理装置。
【請求項３】
前記編集手段で生成された新たな画像処理パラメータの編集可否、及び該新たな画像処理パラメータを画像処理に用いる際の調整可能範囲を指定する指定手段を更に備え、
前記編集手段では、前記指定手段で指定された編集可否、及び、前記調整可能範囲を示す情報を、作成者に関する情報として前記新たな画像処理パラメータに付加することを特徴とする請求項１に記載の情報処理装置。
【請求項４】
画像処理パラメータを用いて撮像データを画像処理する撮像装置であって、
使用する画像処理パラメータを用いて画像処理を行った際の画像処理特性を調整する調整手段と、
前記調整手段で調整された画像処理パラメータを用いて撮像データを処理する処理手段と、
前記処理手段で処理された画像データを表示する表示手段と、
前記画像処理パラメータに付加されている、当該画像処理パラメータの作成者に関する情報に基づいて前記調整手段による前記画像処理パラメータの調整可能範囲を制限する制限手段とを備えることを特徴とする撮像装置。
【請求項５】
撮像データをＲＡＷデータで記録するモードでは、当該ＲＡＷデータに前記調整手段により調整された画像処理パラメータを前記作成者に関する情報とともに付加して画像ファイルを生成し、撮像データをＪＰＥＧデータで記録するモードでは、当該ＪＰＥＧデータに前記作成者に関する情報の一部を付加して画像ファイルを生成する生成手段をさらに備えることを特徴とする請求項４に記載の撮像装置。
【請求項６】
前記調整された画像処理パラメータは、調整前のオリジナルの画像処理パラメータと調整量を含むことを特徴とする請求項５に記載の撮像装置。
【請求項７】
前記調整可能範囲は、調整項目及び／又は各調整項目における調整量の制限であることを特徴とする請求項６に記載の撮像装置。
【請求項８】
インターネットを介して画像処理パラメータをダウンロードして記憶手段に記憶するダウンロード手段と、
前記画像処理パラメータに付加されている、当該画像処理パラメータの作成者に関する情報を抽出する抽出手段と、
前記画像処理パラメータを編集して新たな画像処理パラメータを生成して前記記憶手段に記憶する編集手段と、
前記記憶手段に記憶された画像処理パラメータを撮像装置に供給する供給手段と、
前記撮像装置において、前記供給手段で供給された画像処理パラメータ用いて撮像データに画像処理を施す処理手段と、
前記編集手段による前記画像処理パラメータの編集処理を、前記抽出手段で抽出された前記作成者に関する情報に基づいて制限する第１制限手段とを備えることを特徴とする画像処理システム。
【請求項９】
前記撮像装置において、前記供給手段で供給された画像処理パラメータを変更して画像処理特性を調整する調整手段と、
前記画像処理パラメータに付加されている、当該画像処理パラメータの作成者に関する情報に基づいて前記調整手段による前記画像処理パラメータの調整可能範囲を制限する第２制限手段とを更に備えることを特徴とする請求項８に記載の画像処理システム。
【請求項１０】
撮像装置の画像処理に利用可能な画像処理パラメータを編集する画像処理パラメータ編集方法であって、
前記画像処理パラメータに付加されている、当該画像処理パラメータの作成者に関する情報を抽出する抽出工程と、
前記画像処理パラメータを編集して新たな画像処理パラメータを生成する編集工程と、
前記編集工程における前記画像処理パラメータの編集処理を、前記抽出工程で抽出された前記作成者に関する情報に基づいて制限する制限工程とを備えることを特徴とする情報処理方法。
【請求項１１】
画像処理パラメータを用いて撮像データを画像処理する撮像装置の制御方法であって、
使用する画像処理パラメータを変更して画像処理特性を調整する調整工程と、
前記調整工程で調整された画像処理パラメータを用いて撮像データを処理する処理工程と、
前記処理工程で処理された画像データを表示する表示工程と、
前記画像処理パラメータに付加されている、当該画像処理パラメータの作成者に関する情報に基づいて前記調整工程における前記画像処理パラメータの調整可能範囲を制限する制限手段とを備えることを特徴とする撮像装置の制御方法。
【請求項１２】
請求項１０に記載された画像処理パラメータ編集方法をコンピュータに実行させるための制御プログラム。
【請求項１３】
請求項１２に記載された制御プログラムを格納した記憶媒体。
【発明の詳細な説明】
【技術分野】
【０００１】
本発明は、画像処理に利用される画像処理パラメータの生成に関する。
【背景技術】
【０００２】
近年、急速に普及しつつあるデジタルカメラは、画像をデジタルデータとして記録することから、画像の管理や加工が容易であることが大きな特徴である。しかし、その一方で、デジタルデータは痕跡を残さない合成等の改ざんを行なうことも容易であるため、撮影されたデジタル画像の証拠としての信頼性が問題となる場合がある。更に、デジタルデータは、複製・配布が極めて容易であるため、画像の作成者（著作権者）の権利が十分に保護されないという問題もある。そこで、近年、デジタルカメラで記録されたデジタルデータに、デジタルデータが改変されていないことを検証するための検証データを付加する機能を有するデジタルカメラが提案されている（特許文献１参照）。
【０００３】
一方、一般に、デジタルカメラは、デジタルデータの加工性を利用して画像処理により撮影と同時に画像を加工する機能を持つ。画像処理は設定されている画像処理パラメータに応じてその処理内容を変更することができるので、デジタルカメラでは様々な画像処理を実行することができる。この種のデジタルカメラにおいては、予め用意されている動作モードに応じた画像処理パラメータのみならず、利用者の好みにより自由に作成した画像処理パラメータを設定可能なものが提案されている（特許文献２参照）。このようなデジタルカメラによれば、利用者の所望とする色再現を実現することが可能な画像処理システムが提供される。特にＲＡＷデータは、撮像素子から得られた電気信号をデジタル化したものであり、ホワイトバランス等の画像処理が施されていないので、画像処理パラメータを選択的に用いることで利用者の好みの色再現を実現させることが容易である。
【特許文献１】特開平９−２００７３０号公報
【特許文献２】特開２００５−１０１８２８号公報
【発明の開示】
【発明が解決しようとする課題】
【０００４】
ＲＡＷデータを処理するための画像処理パラメータは、利用者が独自に作成して、ＲＡＷデータに適用することができる。そして、そのような画像処理用のパラメータを他人に用いられないようにしたり、他人の利用に関して制限を設けたりしたいという要望がある。しかしながら、一般に、デジタルカメラで取得されたＲＡＷデータに対して画像処理を施すための画像処理パラメータに、パラメータ作成者に関する情報を付加することは考慮されていない。このため、作成者固有の画像処理パラメータの内容が適切に保護されないという課題があった。
【０００５】
本発明は上記の課題に鑑みてなされたものであり、利用者が作成した画像処理パラメータに対して第３者による利用を制限可能にすることを目的とする。
【課題を解決するための手段】
【０００６】
上記の目的を達成するための本発明による情報処理装置は以下の構成を備える。即ち、
撮像装置の画像処理に利用可能な画像処理パラメータを編集する情報処理装置であって、
前記画像処理パラメータに付加されている、当該画像処理パラメータの作成者に関する情報を抽出する抽出手段と、
前記画像処理パラメータを編集して新たな画像処理パラメータを生成する編集手段と、
前記編集手段による前記画像処理パラメータの編集処理を、前記抽出手段で抽出された前記作成者に関する情報に基づいて制限する制限手段とを備える。
【０００７】
又、本発明の他の態様による撮像装置は以下の構成を備える。即ち、
画像処理パラメータを用いて撮像データを画像処理する撮像装置であって、
使用する画像処理パラメータを用いて画像処理を行った際の画像処理特性を調整する調整手段と、
前記調整手段で調整された画像処理パラメータを用いて撮像データを処理する処理手段と、
前記処理手段で処理された画像データを表示する表示手段と、
前記画像処理パラメータに付加されている、当該画像処理パラメータの作成者に関する情報に基づいて前記調整手段による前記画像処理パラメータの調整可能範囲を制限する制限手段とを備える。
【発明の効果】
【０００８】
本発明によれば、利用者が作成した画像処理パラメータに対して第３者による利用を制限することが可能になる。
【発明を実施するための最良の形態】
【０００９】
以下、添付の図面を参照して本発明の実施形態について説明する。
尚、本明細書では、画像処理パラメータの作成者に関する情報、即ち、当該画像処理パラメータの作成者氏名や利用制限に関する情報を作成者情報と称する。
図１は、第１実施形態における画像処理装置の構成を示すブロック図である。本実施形態では、画像処理装置としてデジタルカメラを用いる。
【００１０】
デジタルカメラ１０は、撮影光学系１０１とカラーチップフィルタ１０２、撮像素子１０３を備える。本実施形態では、撮像素子１０３として例えばＣＣＤを用い、その撮像面上に例えばＲＧＢ３原色のカラーチップフィルタ１０２が設けられた構成が用いられる。即ち、本実施形態のデジタルカメラ１０は、単板方式でカラー撮影を行う。撮影光学系１０１により撮像素子１０３の撮像面に結像された光学的被写体像は撮像素子１０３により光電変換される。光電変換により得られた信号は、撮像素子１０３から読み出されてアナログ信号処理を受け、Ａ／Ｄ変換器１０４に供給される。Ａ／Ｄ変換器１０４は、撮像素子１０３から供給された信号をデジタル信号に変換し、これをＲＡＷデータとしてメモリ１０５に保存する。
【００１１】
画像処理部１０６は、メモリ１０５に保存されたＲＡＷデータに対し、ホワイトバランス補正処理、色補間処理、マトリクス変換、ガンマ処理等を施し、処理結果を画像データとして出力する。画像処理部１０６がこれらの処理の実効に際して使用する画像処理パラメータは、画像処理パラメータ保持部１０７に保持されている。画像処理パラメータ保持部１０７は複数種類の画像処理パラメータを保持している。尚、画像処理パラメータは図６により後述するデータ構成の画像処理パラメータファイルとして画像処理パラメータ保持部１０７に保持されている。画像処理パラメータ選択部１１３は、画像処理部１０６で使用すべき画像処理パラメータを画像処理パラメータ保持部１０７から選択する。更に、デジタルカメラ１０では、選択された画像処理パラメータは画像処理パラメータ調整部１０８により必要に応じて調整され得る。
【００１２】
画像処理パラメータ保持部１０７には、デジタルカメラ１０の出荷時に予め設定された画像処理パラメータや、データ入出力部１０９を通して外部装置より入力された画像処理パラメータが保持される。尚、以下では、デジタルカメラ１０の出荷時に予め設定、登録された画像処理パラメータをプリセットパラメータという。又、外部装置より入力された画像処理パラメータをユーザセットパラメータという。ユーザセットパラメータは、外部の情報処理装置（画像処理パラメータ生成部２０（ＰＣアプリケーションソフト））により生成された画像処理パラメータである。又、ユーザセットパラメータには、カメラメーカやプロカメラマン等がインターネットを通してＷｅｂ上で配布、提供したものも含まれる。
【００１３】
圧縮処理部１１０は、記録モード選択部１１４により選択された記録モードに応じた圧縮処理を画像データに対して施す。例えば、記録モード選択部１１４によりＲＡＷモードが選択されているときは、ＲＡＷデータに対してハフマン符号化などの可逆圧縮処理を行なう。一方、記録モード選択部１１４によりＪＰＥＧ（Joint Picture Experts Group）モードが選択されているときは、画像処理部１０６より出力される画像データに対してＪＰＥＧ圧縮処理を行なう。圧縮処理部１１０により圧縮処理されたデータは記録媒体１１１に記録される。ユーザは記録モード選択部１１４を操作して所望の記録モードを設定することができる。尚、本明細書では、ＲＡＷデータに画像処理（現像処理）を施したデータを画像データと称する。又、本明細書では、デジタルカメラ１０によって得られるＲＡＷデータや画像データ等を総称して撮影データということにする。
【００１４】
次に、画像処理パラメータ生成部２０の構成について図２を用いて説明する。画像処理パラメータ生成部２０は、例えば汎用のパーソナルコンピュータに、以下に説明する機能を実現させるための制御プログラムを導入することにより実現され得る。本実施形態の画像処理パラメータ生成部２０は、複数の色パッチを含む色票の撮影データと、当該色票の各色パッチに対して指定された目標色（ターゲットデータ）とを用いて画像処理パラメータを決定する。画像処理パラメータ生成部２０はデータ入出力部２０１を介して、デジタルカメラ１０から撮影データを入力することができる。例えば、デジタルカメラ１０が色票３０を撮像して得られたＲＡＷデータ（可逆圧縮されている）は、データ入出力部２０１を介して画像処理パラメータ生成部２０に入力される。本実施形態の色票３０には、図３に示されるように、色の再現性の判断や分析などを目的とした２４色の色パッチＰ０１〜Ｐ２４が配列されている。例えば、色票３０は、グレタグマクベス社のColorChecker等のように、全ての色相を網羅し、グレーの階調も有する色パッチにより構成されている。尚、本実施形態の色票３０は２４色の色パッチＰ０１〜Ｐ２４により構成されているが、この限りではなく、種々の色相や階調の組み合わせに応じた数の色パッチが配列された構成でもよい。
【００１５】
データ入出力部２０１は、デジタルカメラ１０と通信することにより撮影データや画像処理パラメータを送受信することができる。より具体的には、データ入出力部２０１は、デジタルカメラ１０のデータ入出力部１０９を介して、デジタルカメラ１０と通信を行なう。データ入出力部１０９と２０１の間の通信としてはＵＳＢ等が挙げられる。又、データ入出力部２０１は、ＰＣアプリケーションを介して外部装置等からのターゲットデータの入力や、インターネット等を介した画像処理パラメータの受信等を実現する。ここで、ターゲットデータとは、デジタルカメラ１０において所望の画像処理特性を実現するための画像処理パラメータを、画像処理パラメータ生成部２０が生成するために用いる色目標値である。ターゲットデータの入力については、図７のステップＳ２０６の説明において後に詳述する。また、データ入出力部２０１は、利用者からの入力を受け付けるための、キーボードやマウス等の入力装置としての機能を更に備えるものとする。
【００１６】
画像処理部２０２は、後述する画像処理パラメータ保持部２０６に格納された画像処理パラメータのうちの、現在選択中のデジタルカメラ１０に関連付けられた画像処理パラメータを参照する。そして、画像処理部２０２は、平均値算出部２０３が出力する各色パッチ毎のＲＡＷデータのＲＧＢ平均値に対して、現在選択中のデジタルカメラ１０の内部処理と同等の画像処理を行ない、画像データを生成する。即ち、画像処理部２０２は複数のデジタルカメラの各々の画像処理部１０６と同等の画像処理を実行可能であり、選択されたデジタルカメラの画像処理部１０６と同等の画像処理を選択的に実行する。尚、デジタルカメラの選択は、表示部２０８に表示したデジタルカメラの一覧から所望のデジタルカメラをユーザが指定することにより行ってもよいし、データ入出力部２０１を介して接続中のデジタルカメラから機種情報を取得することにより行ってもよい。
【００１７】
画像処理部２０２の具体的な処理の一例について図４を用いて説明する。図４は、画像処理部２０２における画像処理例を示すフローチャートである。ステップＳ１０１〜ステップＳ１０３において、それぞれガンマ変換１、３×２０マトリクス演算、ガンマ変換２の処理をＲＡＷデータに対して行なう。尚、ガンマ変換１は、例えば線形的なガンマ変換処理である。マトリクス演算は、Ｘ×Ｙマトリクス、即ちＸ行Ｙ列のフィルタを用いたマトリクス演算処理である。ステップＳ１０２では３×２０のフィルタを用いたマトリクス演算が実行される。ガンマ変換２は、例えばガンマカーブに応じたガンマ変換処理である。選択された画像処理パラメータにより、上記各ステップにおける処理内容（ガンマ変換１，２の変換テーブルやマトリクス演算に用いられるマトリクス）が決定される。
【００１８】
平均値算出部２０３は、データ入出力部２０１から入力される図３に示すような色票３０のＲＡＷデータから、パッチＰ０１〜Ｐ２４の各々のＲＧＢ平均値を算出する。尚、色票３０のフォーマット情報（各パッチの配置位置等）は予め入力データ／ターゲットデータ保持部２０７に保持されており、平均値算出部２０３はこのフォーマット情報を用いて各パッチの画素データを自動的に抽出し、ＲＧＢ平均値を算出する。尚、本実施形態においては、平均値算出部２０３が出力する各パッチのＲＧＢ平均値に対して、画像処理部２０２は図４のフローチャートにより上述した画像処理を行ない、更にＣＩＥＬＡＢで規定されるデータに変換する。以下、この変換後のデータを入力パッチデータという。
【００１９】
変更部２０４は、画像処理部２０２から入力される入力パッチデータと、ターゲットデータをＣＩＥＬＡＢで規定される色空間ａ＊ｂ＊平面上にプロットした、図５に示すようなターゲットデータ変更画面を表示部２０８に表示する。このターゲットデータ変更画面はＧＵＩを構成しており、利用者が必要に応じて画面上で好みの色になるようにターゲットデータの値を調整することができる。また、変更部２０４は、利用者がターゲットデータ変更画面においてターゲットデータを変更した場合は、これをターゲットデータに反映する。
【００２０】
図５は、変更部２０４が表示部２０８に表示するターゲットデータ変更画面の表示例を示す図である。図５に示すように、ａ＊ｂ＊平面上の○印（丸マーク）は各色パッチＰ０１〜Ｐ２４の入力パッチデータを示し、△印（三角マーク）はターゲットデータを示すものである。これにより、各パッチにおける入力パッチデータとターゲットデータのずれを確認することができる。例えば、ある色パッチの入力パッチデータ４０２に対してターゲットデータ４０１が図５に示すように異なる位置に表示されている場合に、利用者は、ポインタ４０３により、ターゲットデータ４０１の位置を変更することができる。例えば、ポインタ４０３をターゲットデータ４０１の表示位置へ移動し、ドラッグアンドドロップ操作により、平面状の所望の位置にターゲットデータ４０１を移動することができる。このように、ターゲットデータの位置をポインタ４０３で変更することができるようなＧＵＩを変更部２０４が提供することで、利用者はターゲットデータ変更画面上で視覚的にターゲットデータのＬＡＢ値を変更することができる。尚、ポインタ４０３は、例えばデータ入出力部２０１が備えるマウスの動きに応じて移動する矢印である。
【００２１】
尚、本実施形態においては、ＣＩＥＬＡＢで規定された色空間のａ＊ｂ＊平面に入力データとターゲットデータをマッピングしているが、この限りではない。例えば、ＣＩＥＬＡＢで規定された空間の、Ｌ＊ａ＊平面、Ｌ＊ｂ＊平面のいずれかにマッピングしたものを表示してもよいし、他の種類の色空間にマッピングしてもよい。
【００２２】
画像処理パラメータ最適化部２０５は、画像処理部２０２で用いた画像処理パラメータを最適化する。例えば、画像処理パラメータ最適部２０５は、ＤＬＳ法（減衰最小二乗法）等を用いて各色パッチＰ０１〜Ｐ２４における上述した入力パッチデータと変更後のターゲットデータとの色差が最小となるように画像処理パラメータを最適化する。
【００２３】
入力データ／ターゲットデータ保持部２０７は、平均値算出部２０３が各色パッチＰ０１〜Ｐ２４に対して算出した、上記入力パッチデータの元となるＲＧＢ平均値を入力ＲＧＢデータとして保持するとともに、利用者が設定したターゲットデータを保持する。表示部２０８は、データ入出力部２０１から読み込んだ撮影データに対して画像処理部２０２が色処理した後の画像データ等を表示する。尚、表示部２０８は、例えば、ＣＲＴや液晶ディスプレイなどの表示装置を有する。又、そのような表示装置としては、カラーマネジメントシステムに対応するなどにより、適正に色を再現できるものが好ましい。
【００２４】
作成者情報作成部２０９は、利用者が作成した画像処理パラメータ（例えば、画像処理パラメータ最適化部２０５により最適化された画像処理パラメータ）を作成した作成者の著作権的な情報（以下、作成者情報とする）を作成し、画像処理パラメータに付加する。図６は、画像処理パラメータ生成部２０において作成される画像処理パラメータファイル５０のデータ構成例を示す図である。パラメータ名称格納領域５１は、利用者が作成した画像処理パラメータの特徴、撮影シーン、被写体のテーマ等を表すための文字列（例えば『人肌きれい』等）を格納する領域である。作成者情報領域５２には、画像処理パラメータの作成者に関する情報等が格納される。作成者情報格納領域５２は、作成者名格納領域５３、変更履歴情報格納領域５４、使用条件格納領域５５を含む。作成者名格納領域５３には、画像処理パラメータの作成者名が格納される。変更履歴格納領域５４には、画像処理パラメータがどのように作成されたかを示す変更履歴が格納される。使用条件格納領域５５には画像処理パラメータの使用条件に関する情報が格納される。画像処理パラメータ格納領域５６には当該画像処理パラメータが格納される。
【００２５】
尚、使用条件格納領域５５には、例えば、利用可否情報５５ａ、編集可否情報５５ｂ、調整可否情報５５ｃが保持される。利用可否情報５５ａは、当該画像処理パラメータを作成者以外の第３者が利用することを許可するか否かを示す。編集可否情報５５ｂは、当該画像処理パラメータの第３者による編集の制限を規定する。更に、調整可否情報５５ｃは、図１４に示すような構造を有し、当該画像処理パラメータの各調整項目に対する調整可否に関する制限及び調整可能範囲に関する情報を規定する。このように、作成者情報は当該画像処理パラメータの利用を制限するための情報として用いられ得る。
【００２６】
次に、画像処理パラメータ生成部２０による画像処理パラメータの生成処理について図７を用いて具体的に説明する。
【００２７】
まず、ステップＳ２０１において、データ入出力部２０１は、デジタルカメラ１０よりデータ入出力部１０９を介して撮影データを読み込む。尚、本実施形態においては、色票３０のＲＡＷデータが読み込まれるものとする。次に、ステップＳ２０２において、平均値算出部２０３は、画像入出力部２０１が読み込んだＲＡＷデータの色パッチＰ０１〜Ｐ２４の各々のＲＧＢ平均値を求める。次にステップＳ２０３において、画像処理部２０２は、画像処理部２０２によって参照されるべくユーザ選択された画像処理パラメータ（あるいは、ＲＡＷデータに付加されている画像処理パラメータ）が、プリセットパラメータであるかユーザセットパラメータであるかを判断する。
【００２８】
ユーザセットパラメータであると判断された場合にはステップＳ２０３からステップＳ２０４へ処理を進める。ステップＳ２０４において画像処理部２０２は、その画像処理パラメータが編集可能であるか否かを編集可否情報５５ｂをもとに判断する。当該画像処理パラメータが編集できないと判断された場合は、画像処理パラメータの生成処理を中止する。ステップＳ２０４において編集可能であると判定された場合は、ステップＳ２０５へ進む。ステップＳ２０５において、画像処理部２０２は、画像処理部２０２によって参照されるべくユーザ選択された画像処理パラメータを用いて、を用いて、平均値算出部２０３が算出したＲＧＢ平均値に対して画像処理を行なう。更に、画像処理部２０２は、色処理後のＲＧＢデータ（以下、色処理後データという）をＩＥＣ６１９６６−２−１で規定されるｓＲＧＢと仮定し、白色点をＤ６５と仮定してＣＩＥＬＡＢ形式の変更部２０４に対する入力パッチデータを算出する。尚、ＩＥＣとはInternational Electrotechnical Commissionのことである。尚、上記画像処理部２０２によって参照されるべくユーザ選択された画像処理パラメータの代わりに、ＲＡＷデータに付加されていた画像処理パラメータを利用することも可能である。また、上記ステップＳ２０４において、所定の認証を行うことで編集可否を判定する構成を備えてもよい。ここで、所定の認証処理としては、例えば、作成者名格納領域５３内にＩＤやパスワード等の認証情報を登録しておき、画像処理パラメータ生成部２０（情報処理装置）から認証情報を入力させることで行うことがあげられる。
【００２９】
次に、ステップＳ２０６において、画像処理パラメータ生成部２０にデジタルカメラ１０で撮影した色票３０の各色パッチＰ０１〜Ｐ２４に対するターゲットデータを入力する。或は、例えば色票３０の各色パッチ自体をグレタグマクベス社の小型分光光度計などで測色して得たＣＩＥＬＡＢ形式の色データをターゲットデータとしてもよい。尚、本実施形態のターゲットデータのデータ形式は、上述した入力パッチデータと同様のデータ形式（本例ではＣＩＥＬＡＢ形式）の色データである。ターゲットデータの入力は、ＰＣアプリケーションを介して図５に示したターゲットデータ変更画面から入力しても良いし、データファイルとして入力しても良い。また、ターゲットデータは、先に算出した入力パッチデータと同じであっても良く、入力パッチデータをターゲットデータ変更画面で変更することによって入力しても良い。
【００３０】
次に、ステップＳ２０７において、変更部２０４は、ステップＳ２０５で画像処理部２０２が算出した入力パッチデータと、ステップＳ２０６でデータ入出力部２０１より入力されたターゲットデータを表示部２０８に表示する。この際、変更部２０４は、図５で示したようなターゲットデータ変更画面を表示部２０８に表示する。変更部２０４は、利用者によるターゲットデータの編集操作（図５の△マークの移動操作）を受け付ける。そして、編集後（移動後）の△マークの位置で定まるＬＡＢ値を編集後のターゲットデータとする。このとき、利用者は、好みによってたとえば肌色を示すターゲットデータの赤味を強めたり、空の青色を示すターゲットデータの青味を強めたりすることができる。
【００３１】
次に、ステップＳ２０８において、画像処理パラメータ最適化部２０５は、入力パッチデータと編集後のターゲットデータの色差に応じた色処理パラメータの最適化処理を行なう。より具体的には、各色パッチデータに対して最適化後の画像処理パラメータを用いて画像処理部２０２と同様の処理を行ない色処理後データ（Ｒi、Ｇi、Ｂi）（i＝１〜２４）を算出する。ここで、ｉは各色パッチＰ０１〜Ｐ２４の識別番号（ＩＤ）である。次に、この色処理後データをＣＩＥＬＡＢ空間に変換したデータ（Ｌ*i、ａ*i、ｂ*i）と、ターゲットデータ（Ｌ*Ti、ａ*Ti、ｂ*Ti）との色差Ｅiを評価関数とする。そして、全ての色パッチにおける評価関数Ｅiの値を加算して全体の評価関数Ｅの値を以下の式により算出する。
【００３２】
【数１】
2008028775.tif 000003
【００３３】
次に、画像処理パラメータ最適化部２０５は、各色パッチの画像処理後データ（Ｌ*i、ａ*i、ｂ*i）と対応するターゲットデータ（Ｌ*Ti、ａ*Ti、ｂ*Ti）との色差Ｅiが全体として最小になるように画像処理パラメータを最適化する。この最適化には、例えば、ＤＬＳ法（減衰最小二乗法）等を用いることができる。即ち、画像処理パラメータ最適化部２０５は、式１の評価関数Ｅの値が最小になる画像処理パラメータを求めることで、画像処理パラメータを最適化する。また、画像処理パラメータ最適化部２０５が利用する評価関数は、上述した式１で求める評価関数Ｅに限らず、各色パッチＰ０１〜Ｐ２４に重みを個別に設定して求める評価関数Ｅであっても良い。そのときの重み値をｗiとすると、パラメータ最適化部２０５は、評価関数Ｅの値を以下の式により算出する。
【００３４】
【数２】
2008028775.tif 000004
【００３５】
次に、ステップＳ２０９において、画像処理パラメータ最適化部２０５は、各色パッチの毎の評価関数Ｅi及びその合計値である評価関数Ｅの値を図８に示すような一覧で表示部２０８に表示する。更に、画像処理パラメータ最適化部２０５が最適化した画像処理パラメータを用いて画像処理部２０２は、撮影データに対して画像処理を行なう。これにより、画像処理パラメータ生成部２０は、画像処理後の画像（色票３０の画像）を表示部２０８に表示する。
【００３６】
以上により利用者は、各色パッチにおいて最適化後の画像処理パラメータを利用して画像処理した場合の入力データとターゲットデータの色差を図８に示す一覧表示８０１により確認することができる。又、更に、画像の表示により各色パッチが所望の色で再現されているかを確認することができる。本例の、一覧表示８０１では、各色パッチのターゲットデータ、最適化後の画像処理パラメータで各色パッチのＲＡＷデータを処理して得た入力データ（以下、最適化後入力データ）、重み値ｗi、評価関数Ｅi、色相角（色差）がＩＤ順に一覧表示される。又、評価関数Ｅの値も表示（８０３）されている。又、図８の表示例では、一覧に２４個全ての色パッチのデータを表示しきれない場合に、表をスクロールするためのスクロールバー８０２が設けられている。図８のように、表示部２０８に表示することで、利用者はターゲットデータに応じた色処理パラメータとなるよう十分な最適化がなされたか否かを判断することが容易となる。
【００３７】
次に、利用者は、ステップＳ２０９で表示部２０８に表示された一覧画面６０および色票３０の画像を確認することで、最適化を終了するか否かを判断して画像処理パラメータ生成部２０へ最適化の継続または終了を指示する。最適化終了／継続の指示は最適化終了ボタン８０４又は継続ボタン８０５をポインタ８０６により選択することでなされる。ステップＳ２１０において、画像処理パラメータ生成部２０は、この指示に応じて最適化の継続または終了を判断する。ここで、利用者の指示が最適化の継続である場合（ステップＳ２１０のＮＯ）には、画像処理パラメータ生成部２０は、ステップＳ２０７へ戻り、再び利用者にターゲットデータの編集を促す画面に遷移する。また、利用者の指示が最適化の終了である場合（ステップＳ２１０のＹＥＳ）には、画像処理パラメータ生成部２０は、図１０のステップＳ３０１に進む。尚、利用者からの指示（ポインタ操作）は例えばデータ入出力部２０１から入力される。
【００３８】
次に、ステップＳ２１０までで作成した画像処理パラメータに対して、作成者情報を付加する際の処理を図９、図１０を用いて説明する。
【００３９】
作成者情報作成部２０９は、まず、図９に示すようなユーザインターフェースを表示部２０８に表示し、ユーザに画像処理パラメータの作成者情報を設定させる。ユーザは、フィールド１１０１に当該画像処理パラメータの名称を、フィールド１１０２に当該画像処理パラメータの作成者氏名を入力することができる。これらの情報は、それぞれ画像処理パラメータファイルのパラメータ名称格納領域５１、作成者名格納領域５３に格納されることになる。又、図９によれば、利用可否、編集可否、調整可否を設定するためのインターフェース（１１０３，１１０４，１１０５）が提供されている。編集可否（１１０４）の設定に関しては、更に、２次配布の可否を設定するインターフェース１１０８が提供さている。又、調整可否の設定においては、調整可能な項目を選択可能とする「一部可」が選択可能である。調整可否において「一部可」が選択された場合、本実施形態では、「シャープネス」、「コントラスト」、「色の濃さ」、「色合い」から所望の項目（複数設定可）を調整可能項目として選択できる（１１０６）。以上のような、図９に示すユーザインターフェースから作成者や利用制限に係る各項目が設定され、設定ボタン１１０７が押される（クリックされる）と、図１０のフローチャートにより示される処理が開始される。
【００４０】
図１０は、作成された画像処理パラメータに対して、図９のユーザインターフェースを用いて設定された作成者情報を設定する処理を説明するフローチャートである。まず、ステップＳ３０１において、作成した画像処理パラメータに対して、フィールド１１０１に設定された名称をパラメータ名称格納領域５１に格納する。パラメータ名称としては、例えば、『人肌きれい』、『空鮮やか』等といったその画像処理パラメータの特長を表すような名称を設定するのがよい。次に、ステップＳ３０２において画像処理パラメータの作成者の名前（フィールド１１０２に設定された内容）を作成者名格納領域５３に格納する。
【００４１】
ステップＳ３０３において、利用可否（１１０３）の設定状態に従って利用可否情報５５ａを付加する。利用可否情報５５ａは、作成した画像処理パラメータが第３者によって使用されることを許可するかどうかについての情報である。次に、ステップＳ３０４において、編集可否（１１０４）の設定状態に従って編集可否情報５５ｂを付加する。編集可否情報５５ｂは、作成した画像処理パラメータを基にして新しい画像処理パラメータを作成することを許可するかどうかについての情報である。又、編集可であった場合には、２次配布（１１０８）を許可するか禁止するかの設定も編集可否情報５５ｂとして登録される。２次配布とは、第３者が作成した画像処理パラメータをダウンロード等によって入手し、それをそのまま、あるいは、編集、加工して再配布することである。次に、ステップＳ３０５において、調整可否（１１０５）の設定状態に従って調整可否情報５５ｃを付加する。調整可否情報５５ｃは、画像処理パラメータがデジタルカメラ１０に登録されて使用されるときに、画像処理パラメータの微調整を許可するかどうかについての情報である。ここで、微調整する項目とは、例えば、シャープネス、コントラスト、色の濃さ、色あい等である。尚、上述の「一部可」が設定された場合は、図１４に示す調整可能な項目を示す情報も調整可否情報５５ｃとして登録されることになる。
【００４２】
尚、「一部可」では調整項目の数（種類）が制限されるが、各調整項目の範囲を制限するような情報を調整可否情報５５ｃに設定できるようにしてもよい。この場合、例えば、図９の１１０６に示した調整項目の各々について、調整範囲を設定するユーザインターフェースを設ける。具体例としては、各調整項目について、調整範囲を＋２、＋１，０、−１、−２の範囲で設定可能とする。尚、設定が可能な調整項目の種類は、デジタルカメラ１０の画像処理部１０６が有する機能に依存する。また、同様に、調整範囲の設定も、デジタルカメラ１０の画像処理部１０６が有する画像調整機能に依存する。例えば、画像処理部１０６が１０段階で調整可能であれば、＋５〜−５の範囲で設定可能となる。
【００４３】
例えば、プリセットパラメータの場合、シャープネス、コントラスト、色の濃さ、色あい等の調整項目についての制限はせず、また調整範囲についても、出力画像が破綻しない範囲において、出来るだけ広い調整幅を持たせる。このようにすることで、ユーザが自由に画像処理パラメータを選択できるようにする。一方、ユーザセットパラメータの場合、ユーザの調整によってパラメータの作成者が意図しないような出力画像が得られるのを避けるために、調整項目や調整範囲に制限を加える。例えば、青空や人肌などの彩度や色相に大きな特徴を持つユーザセットパラメータにおいては、色の濃さや色あいに関しての調整を禁止する、あるいは調整範囲を限定するが、その他の調整項目については通常どおりに調整の自由度を持たせる。また、階調に大きな特徴を持つユーザセットパラメータにおいては、コントラストに関しての調整を禁止する、あるいは調整範囲を限定するが、その他の調整項目については通常どおりに調整の自由度を持たせる。
【００４４】
以上のように画像処理パラメータの一部あるいは全部の調整項目の設定、変更に対して作成者情報に応じた制限を加えることができる。これにより、ユーザに画像処理パラメータの設定の自由度を持たせながら、パラメータの作成者の意向にそぐわない画像が生成されるのを防止することが出来る。
【００４５】
以上のような利用可否、編集可否、調整可否（一部許可／調整範囲の制限）により画像処理パラメータを適切に保護することが可能となる。例えば、プロカメラマンやメーカがＷｅｂ上で配布した画像処理パラメータについては、「編集可否」を不可とし、更に、作成者の意向を壊さない程度の微調整のみを可能にするべく、「調整可否」により調整項目や調整範囲に制限を加える。
【００４６】
次に、ステップＳ３０６において画像処理パラメータの変更履歴を付加する。画像処理部２０２において入力パッチデータの作成に使用された画像処理パラメータが、プリセットパラメータであるか、第３者による編集を許可していて、且つ作成者が著作権を放棄しているユーザセットパラメータであるときには、履歴１の領域にユーザのパラメータ作成（変更）日時や変更内容（パラメータのうちの変更した項目）等に関する情報を追加記録あるいは上書きする。入力パッチデータの作成に使用された画像処理パラメータが、編集可否情報において２次配布を禁止している場合には、履歴１に格納されているもともとのユーザのパラメータ作成（変更）日時や変更内容（パラメータのうちの変更した項目）等に関する情報は保持し、履歴２以降の領域に作成日時や変更内容等に関する情報を記録する。以上のような処理により、画像処理パラメータに対して作成者情報が付加される。
【００４７】
尚、上記実施形態では、ステップＳ２０１でデジタルカメラ１０から読み込んだ撮像データ（ＲＡＷデータ）に含まれる画像処理パラメータを利用して画像処理パラメータの編集、生成を行ったがこれに限られるものではない。画像処理パラメータ生成部２０（情報処理装置）に予め登録してある画像処理パラメータを利用して新たなパラメータの生成を行うようにしてもよい。
【００４８】
次に、図１に示したデジタルカメラ１０の動作について説明する。尚、デジタルカメラ１０は、上記の如く画像処理パラメータ生成部２０によって生成された画像処理パラメータファイルを画像処理パラメータ生成部２０よりデータ入出力部１０９を介して受信することができる。そして、受信された画像処理パラメータファイルは画像処理パラメータ保持部１０７に格納されている。
【００４９】
デジタルカメラ１０を利用して撮影する際に、利用者は不図示の電源スイッチをオンする。これにより、起動したデジタルカメラ１０の撮像素子１０３による撮像が行われ、ＲＡＷデータがメモリ１０５に保持される。画像処理部１０６は、画像処理パラメータ保持部１０７から、現在選択されている画像処理パラメータを読み出す。そして、画像処理部１０６は、読み出した画像処理パラメータを使用して、メモリ１０５に保持されたＲＡＷデータに画像処理を施すことで表示用画像を生成し、表示部１１２に表示する。尚、表示部１１２への撮影データの表示は例えば１／３０秒毎に更新される。従って、この場合、画像処理部１０６がＲＡＷデータから表示用画像を生成する処理も１／３０秒単位で行われることになる。
【００５０】
次に、利用者は表示部１１２に表示される画像を見て、被写体の構図を決め、不図示のシャッターボタンを押すことで、撮影を行なう。シャッターボタンが押されると、画像処理部１０６は、ＲＡＷデータに対して上記読み出した画像処理パラメータを使用して、画像データを出力する。圧縮処理部１１０は、シャッターボタンが押されたタイミングで出力される撮影データ（ＲＡＷデータまたは上記画像データ）を、記録モード選択部１１４によって選択されている記録モードに応じて圧縮処理し、圧縮処理したデータを外部の記録媒体１１１へ記録する。
【００５１】
尚、デジタルカメラ１０で現在選択されている画像処理パラメータがユーザセットパラメータであった場合は、その作成者情報に応じて利用に制限が加わることになる。例えば、利用可否情報５５ａが第３者による利用を禁止している場合は、第３者はそのパラメータを画像処理部１０６の処理に利用することができない。或は、作成者情報により、画像処理パラメータの調整項目が制限を受ける。上述したように、画像処理パラメータの調整項目とは、例えばシャープネス、コントラスト、色の濃さ、色あい等である。
【００５２】
画像処理パラメータの調整項目に関する制限について図１１及び図１２を用いて説明する。利用者が画像処理パラメータ選択部により所定の操作を行なうと、表示部１１２に図１１の（ａ）に示すような画像処理パラメータの選択画面（画像処理パラメータ保持部１０７に保持されている画像処理パラメータファイルの一覧）が表示される（Ｓ１２０１）。このとき、画像処理パラメータファイルの画像処理パラメータに作成者情報が設定されているときには、画像処理パラメータの名称の右側に図１１（ａ）に示すような作成者情報が設定されていることを示す「Info.」釦９０１が表示される。利用者が画像処理パラメータ選択部１１３を用いて「Info.」釦９０１を押すと、選択された画像処理パラメータの作成者に関する情報、例えば図６に示す作成者名（５３）、使用条件に関する情報（５５）等が表示部１１２に表示される。この様子を図１１の（ｅ）に示す。尚、利用可否情報５５ａにより第３者による利用が禁止されている場合は、図１１の（ａ）に示すリストに掲載しないようにする、或は、「Info.」釦９０１を押した際に利用できない旨を通知するようにする。
【００５３】
次に、利用者が画像処理パラメータ選択部１１３を用いて、利用したい画像処理パラメータを選択する。画像処理パラメータが選択されると、選択された画像処理パラメータに付加されている作成者情報の利用可否情報５５ａにより、当該画像処理パラメータを利用できるか否かを判定する（Ｓ１２０２、Ｓ１２０３）。利用可と判定された場合は、その画像処理パラメータが画像処理部１０６に設定される（Ｓ１２０４）。尚、利用可否情報５５ａが利用不可となっている場合は所定の認証処理により利用可否を判定する。認証が取れず、利用不可となった場合はその旨を表示部１１２に表示して利用者に通知するＳ１２０５）。尚、所定の認証処理としては、例えば、作成者名格納領域５３内にパスワード等の認証情報を登録しておき、これを用いて認証処理を行うようにする。
【００５４】
次に、利用者が画像処理パラメータの調整を指示すると、処理はＳ１２０６からＳ１２０７へ進む。画像処理パラメータ調整部１０８により調整可能となる項目は、選択された画像処理パラメータの調整可否情報５５ｃにより異なる。画像処理パラメータの調整可否情報５５ｃには、画像処理パラメータの全項目が調整可能であるか、一部の項目が調整可能であるか或は全項目が調整不可であるかのいずれかの情報が入っている。全項目が調整可能であるときは、図１１（ｂ）のように表示部１１２に表示され、利用者が各項目の微調整を例えば５段階で行なうことができる（Ｓ１２０７、Ｓ１２０８）。調整項目や調整範囲に制限がある場合は、その制限に応じてインターフェースを表示する（Ｓ１２０７，Ｓ１２０９）。例えば、一部の調整項目について調整可能である場合は、図１１（ｃ）のように調整できない項目がグレーアウトされる。全項目が調整不可であるときには、図１１（ｄ）のように全ての項目がグレーアウトされ、利用者による一切の調整が行なえなくなる。尚、調整項目の数が制限される場合の表示部１１２における表示例を示したが、調整項目の範囲が制限される場合は、その制限に応じて調整項目のバーを短くして表示する。このように一部あるいは全部の調整項目に対して制限を加えることで、画像処理パラメータの作成者が意図しない画像処理が撮像装置において行われることを防止することができる。設定された調整量は画像処理部１０６において利用可能に設定される（Ｓ１２１０）。尚、全項目の調整が不可の場合は、調整量＝０が設定されるものとする。
【００５５】
次に、撮影から画像ファイルの保存までの処理を説明する。図１３は、デジタルカメラ１０による撮影から画像ファイルの保存までの処理を説明するフローチャートである。撮像が行われると、上述したように、メモリ１０５にＲＡＷデータが保持される。画像処理部１０６はメモリ１０５に保持されたＲＡＷデータを取得する（Ｓ１３０１）。そして、記録モード選択部１１４で選択されている記録モードがＲＡＷモードであった場合は、選択されている画像処理パラメータのファイルを取得し、設定されている調整量を取得する（Ｓ１３０２、Ｓ１３０３、Ｓ１３０４）。そして、画像処理パラメータファイルの内容と調整量をＲＡＷデータに付加して画像ファイルを生成し、記録媒体１１１に格納する（Ｓ１３０５、Ｓ１３０６）。
【００５６】
一方、記録モード選択部１１４で選択されている記録モードがＪＰＥＧモードであった場合は、まず、画像処理部１０６がＲＡＷデータを、選択された画像処理パラメータ及び設定された調整量に従って画像処理し、これをＪＰＥＧデータに変換する（Ｓ１３０７）。そして、使用した画像処理パラメータのファイルから作成者情報の一部（本例ではパラメータ名称格納領域５１、著作権者名称格納領域５３、変更履歴情報格納領域５４の情報）を取得して、ＪＰＥＧデータに付加し、画像ファイルとする（Ｓ１３０８）。
【００５７】
以上のように、本実施形態のデジタルカメラ１０は、選択されている記録モードがＲＡＷ画像記録モードであるかＪＰＥＧ画像記録モードであるかによって記録媒体１１１に撮影データを記録するときに付加する画像処理パラメータ情報を変化させる。ＲＡＷ画像記録モードが選択されている場合は、図６に示される画像処理パラメータのデータ構造を撮影データに対してそのまま付加させる。このようにすることで、画像処理パラメータの作成者の作成者情報が画像ファイルに対してそのまま引き継がれ、パソコンによってＲＡＷ画像の画像処理を行なう際にも作成者固有の画像処理パラメータ内容の保護を行なうことができる。一方、ＪＰＥＧ画像記録モードが選択されている場合には、図６に示されるデータ構造から使用条件格納領域５５に格納されている情報と画像処理パラメータ格納領域５６に格納されている情報を除いたものを撮影データに付加させて記録する。このようにすることで、ＪＰＥＧ画像に対しては不要な情報を省くことができ、最小限のデータで使用された作成者固有の画像処理パラメータ内容の保護を行なうことが可能になる。
【００５８】
以上、実施形態を詳述したが、本発明は、例えば、システム、装置、方法、プログラムもしくは記憶媒体等としての実施態様をとることが可能である。具体的には、複数の機器から構成されるシステムに適用しても良いし、また、一つの機器からなる装置に適用しても良い。
【００５９】
尚、本発明は、ソフトウェアのプログラムをシステム或いは装置に直接或いは遠隔から供給し、そのシステム或いは装置のコンピュータが該供給されたプログラムコードを読み出して実行することによって前述した実施形態の機能が達成される場合を含む。この場合、供給されるプログラムは実施形態で図に示したフローチャートに対応したプログラムである。
【００６０】
従って、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。
【００６１】
その場合、プログラムの機能を有していれば、オブジェクトコード、インタプリタにより実行されるプログラム、ＯＳに供給するスクリプトデータ等の形態であっても良い。
【００６２】
プログラムを供給するための記録媒体としては以下が挙げられる。例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などである。
【００６３】
その他、プログラムの供給方法としては、クライアントコンピュータのブラウザを用いてインターネットのホームページに接続し、該ホームページから本発明のコンピュータプログラムをハードディスク等の記録媒体にダウンロードすることが挙げられる。この場合、ダウンロードされるプログラムは、圧縮され自動インストール機能を含むファイルであってもよい。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数の利用者に対してダウンロードさせるＷＷＷサーバも、本発明に含まれるものである。
【００６４】
また、本発明のプログラムを暗号化してＣＤ−ＲＯＭ等の記憶媒体に格納して利用者に配布するという形態をとることもできる。この場合、所定の条件をクリアした利用者に、インターネットを介してホームページから暗号を解く鍵情報をダウンロードさせ、その鍵情報を使用して暗号化されたプログラムを実行し、プログラムをコンピュータにインストールさせるようにもできる。
【００６５】
また、コンピュータが、読み出したプログラムを実行することによって、前述した実施形態の機能が実現される他、そのプログラムの指示に基づき、コンピュータ上で稼動しているＯＳなどとの協働で実施形態の機能が実現されてもよい。この場合、ＯＳなどが、実際の処理の一部または全部を行ない、その処理によって前述した実施形態の機能が実現される。
【００６６】
さらに、記録媒体から読み出されたプログラムが、コンピュータに挿入された機能拡張ボードやコンピュータに接続された機能拡張ユニットに備わるメモリに書き込まれて前述の実施形態の機能の一部或いは全てが実現されてもよい。この場合、機能拡張ボードや機能拡張ユニットにプログラムが書き込まれた後、そのプログラムの指示に基づき、その機能拡張ボードや機能拡張ユニットに備わるＣＰＵなどが実際の処理の一部または全部を行なう。
【図面の簡単な説明】
【００６７】
【図１】本実施形態による撮像装置の構成を示すブロック図である。
【図２】画像処理パラメータ生成部の構成を示すブロック図である。
【図３】図２に示した色票の例を示す図である。
【図４】本実施形態の画像処理部によって実行される画像処理の例を示すフローチャートである。
【図５】本実施形態の変更部が表示部に表示するターゲットデータ変更画面の表示例を示す図である。
【図６】本実施形態の画像処理パラメータ設定ファイルのデータ構成例を示す図である。
【図７】本実施形態の画像処理パラメータ生成部による画像処理パラメータの生成処理を示すフローチャートである。
【図８】各色パッチＰ０１〜Ｐ２４に関して最適化後の画像処理パラメータを利用して画像処理を行った場合の入力パッチデータとターゲットデータと、それらの色差の一覧表示例を示す図である。
【図９】画像処理パラメータの作成者情報を設定するためのユーザインターフェース例を示す図である。
【図１０】画像処理パラメータに作成者情報を付加する処理を説明するフローチャートである。
【図１１】画像処理パラメータの調整項目に関する、撮像装置における制限を説明する図である。
【図１２】デジタルカメラにおける画像処理パラメータの調整処理を説明するフローチャートである。
【図１３】デジタルカメラにおける撮影動作時の、画像ファイルの生成処理を説明するフローチャートである。
【図１４】画像処理パラメータ設定ファイルの調整可否情報５５ｃのデータ構造を示す図である。
【図１】
2008028775.tif 000005
【図２】
2008028775.tif 000006
【図３】
2008028775.tif 000007
【図４】
2008028775.tif 000008
【図５】
2008028775.tif 000009
【図６】
2008028775.tif 000010
【図７】
2008028775.tif 000011
【図８】
2008028775.tif 000012
【図９】
2008028775.tif 000013
【図１０】
2008028775.tif 000014
【図１１】
2008028775.tif 000015
【図１２】
2008028775.tif 000016
【図１３】
2008028775.tif 000017
【図１４】
2008028775.tif 000018